(57)【要約】      （修正有）【課題】アクティブエリアの凹部の非アクティブエリアに他の電子デバイスを搭載することができるディスプレイを提供する。【解決手段】ディスプレイ１４は、非アクティブエリアＩＡに少なくとも１つのエッジに沿って縁取られたアクティブエリアＡＡを有し、アクティブエリアＡＡは、非アクティブエリアＩＡの孤立した部分を含む開口部を有することができ、又は非アクティブエリアＩＡの一部が突出する凹部を含む。スピーカ、カメラ、発光ダイオード、光センサ、又は他の電子デバイスなどの電子構成要素が、アクティブエリアＡＡの凹部又は開口部内の非アクティブエリアＩＡに搭載されてもよい。【選択図】図６
2020181195.tif 000002
【特許請求の範囲】
【請求項１】
画像を表示する画素を含むアクティブエリアと、
前記アクティブエリアの１つのエッジの少なくとも一部に沿って延在する、画素のない非アクティブエリアと、を備え、
前記非アクティブエリアの突出部分は、前記エッジの前記一部に沿って前記アクティブエリア内に延在する、ディスプレイ。
【請求項２】
前記アクティブエリアは、矩形部分と、前記非アクティブエリアの両側の２つの矩形拡張領域とを含む、請求項１に記載のディスプレイ。
【請求項３】
前記アクティブエリアの前記画素は、前記矩形拡張領域にアイコンを表示するように構成される、請求項２に記載のディスプレイ。
【請求項４】
前記突出部分にカメラを更に備える、請求項３に記載のディスプレイ。
【請求項５】
前記非アクティブエリアの前記突出部分に電子構成要素を更に備える、請求項１に記載のディスプレイ。
【請求項６】
前記電子構成要素が画像センサを含む、請求項５に記載のディスプレイ。
【請求項７】
前記突出部分は、前記非アクティブエリアの矩形部分を含む、請求項１に記載のディスプレイ。
【請求項８】
前記非アクティブエリアの前記突出部分が黒色マスキング層を有し、前記アクティブエリアが、黒色背景上に情報を表示する、前記突出部分に隣接する少なくとも１つの部分を含む、請求項１に記載のディスプレイ。
【請求項９】
前記アクティブエリアは矩形形状を有し、前記突出部分は前記非アクティブエリアの矩形部分を含む、請求項８に記載のディスプレイ。
【請求項１０】
前記アクティブエリアは円形形状を有する、請求項１に記載のディスプレイ。
【請求項１１】
前記アクティブエリアは矩形形状を有し、前記突出部分は、前記矩形形状の少なくとも１つの角部内に突出する、請求項１に記載のディスプレイ。
【請求項１２】
画像を表示する画素を含むアクティブエリアと、
前記アクティブエリアの開口部に形成され、かつ、画像を表示しない、画素のない孤立した非アクティブエリアと、
を備えるディスプレイ。
【請求項１３】
前記孤立した非アクティブエリアに電子構成要素を更に備える、請求項１２に記載のディスプレイ。
【請求項１４】
前記電子構成要素は、スピーカ、カメラ、光センサ、ディスクリ−ト発光ダイオード、近接センサ、歪みゲージ、力センサ、温度センサ、指紋センサ、ボタン、及びマイクロフォンからなるグループから選択される構成要素を含む、請求項１３に記載のディスプレイ。
【請求項１５】
前記画素は液晶ディスプレイ画素を含む、請求項１２に記載のディスプレイ。
【請求項１６】
前記画素は有機発光ダイオード画素を含む、請求項１２に記載のディスプレイ。
【請求項１７】
前記アクティブエリアはデータ線を含み、前記データ線のうちの少なくともいくつかは、前記孤立した非アクティブエリアに隣接して折り返された端部を有する、請求項１２に記載のディスプレイ。
【請求項１８】
前記アクティブエリアは、突出する非アクティブエリアが延在する凹部分を有する、請求項１２に記載のディスプレイ。
【請求項１９】
ベースと、前記ベースに対して回転する蓋とを有する筐体と、
前記蓋によって支持されるディスプレイであって、前記ディスプレイは、画像を表示する、画素を含むアクティブエリアを有し、かつ、前記アクティブエリアの少なくとも１つのエッジに沿って延びる非アクティブエリアを有し、前記アクティブエリアは凹部を有し、かつ、前記非アクティブエリアは前記凹部内に延在する突出部分を有する、ディスプレイと、
前記非アクティブエリアの前記突出部分に搭載されたカメラと、
を備えるラップトップコンピュータ。
【請求項２０】
前記アクティブエリアは、画像を表示するメイン矩形領域を有し、かつ、前記メイン矩形領域と前記非アクティブ縁との間に第１及び第２の矩形拡張領域を有し、前記第１及び第２の矩形拡張領域は、前記カメラの両側にある、請求項１９に記載のラップトップコンピュータ。
【請求項２１】
前記第１及び第２の矩形拡張領域は黒色の背景上にアイコンを表示し、前記メイン矩形領域は矩形の映像を表示する、請求項２０に記載のラップトップコンピュータ。
【発明の詳細な説明】
【技術分野】
【０００１】
本出願は、２０１５年９月２８日に出願された米国特許出願第６２／２３３，９２３号に基づく優先権を主張するものであり、これにおいて参照によりその全体が本明細書内に組み入れられる。
本出願は、広くは電子デバイスに関し、より具体的には、ディスプレイを有する電子デバイスに関する。
【背景技術】
【０００２】
電子デバイスは、多くの場合、ディスプレイを含む。例えば、携帯電話、タブレットコンピュータ、及びラップトップコンピュータは、ユーザに情報を提示するためのディスプレイを含む。
【０００３】
ディスプレイのアクティブエリアは、画像を表示する画素を含む。ディスプレイ駆動回路、ボタン、カメラ、及び発光しない他の構成要素は、アクティブエリアを囲む非アクティブ縁領域内に配置される。
【０００４】
注意が払われなければ、ディスプレイの縁のサイズは、所望とするものよりも大きくなる可能性がある。例えば、カメラ又はボタンなどの構成要素がディスプレイの縁に沿って配置される場合、その縁を拡大してカメラ又はボタンを収容する必要があり得る。これにより、視覚情報をユーザに提示するために利用可能な表示エリアの大きさが制限される可能性がある。
【発明の概要】
【０００５】
電子デバイスはディスプレイを備えることができる。ディスプレイは、液晶ディスプレイ画素、有機発光ダイオード画素、又は他の画素から形成することができる。ディスプレイは、非アクティブエリアによって縁取られたアクティブエリアを有することができる。アクティブエリアは画素を含み、画像を表示する。非アクティブエリアはいかなる画素も含まず、画像を表示しない。
【０００６】
非アクティブエリアは、黒色インク層又は他のマスキング材料の層を有して、内部構成要素を視界から遮断することができる。アクティブエリアは、孤立した非アクティブエリア領域を含む開口部を有することができ、又は非アクティブエリアの一部が突出するノッチ又は他の凹部を含むことができる。スピーカ、カメラ、発光ダイオード、光センサ、近接センサ、歪みゲージ、磁気センサ、圧力センサ、力センサ、温度センサ、若しくは他のセンサ、ボタン、タッチ感知構成要素、マイクロフォン、若しくは他のオーディオ構成要素、などの電子構成要素、又は出力を生成する及び／若しくは入力を収集する他の電子デバイスを、凹部内に突出する、又はアクティブエリアの開口部に配置された、非アクティブエリアの一部に搭載することができる。
【０００７】
非アクティブエリアは、画像を表示する矩形領域などのメイン領域を有してもよく、メイン領域から拡張する１つ以上の拡張領域を有してもよい。拡張領域は、例えば、メイン矩形領域と非アクティブ縁との間に横たわる第１及び第２の細長い矩形の拡張領域を含むことができる。第１及び第２の拡張領域は、非アクティブ領域の突出部分又は島状部分内の、カメラ又は他の電子構成要素の両側に配置されてもよい。アイコン又は他の情報が拡張領域内の黒い背景上に表示されて、連続した途切れのない外観を提供することができる。
【０００８】
更なる特徴が、添付図面及び以下の詳細な説明から、より明らかとなるであろう。
【図面の簡単な説明】
【０００９】
【図１】一実施形態に係る、ディスプレイを有するラップトップコンピュータなどの例示的な電子デバイスの斜視図である。
【００１０】
【図２】一実施形態に係る、ディスプレイを有するハンドヘルド型電子デバイスなどの例示的な電子デバイスの斜視図である。
【００１１】
【図３】一実施形態に係る、ディスプレイを有するタブレットコンピュータ、時計、又は他のポータブルデバイスなどの例示的な電子デバイスの斜視図である。
【００１２】
【図４】一実施形態に係る、ディスプレイ構造体を有するコンピュータディスプレイなどの例示的な電子デバイスの斜視図である。
【００１３】
【図５】従来のディスプレイの図である。
【００１４】
【図６】一実施形態に係る、例示的なディスプレイの図である。
【００１５】
【図７】一実施形態に係る、例示的なディスプレイの一部の図である。
【００１６】
【図８】一実施形態に係る、どのようにして、ディスプレイの非アクティブエリアがアクティブエリアによって囲まれた島の形状を有し得るかを示す図である。
【００１７】
【図９】一実施形態に係る、ディスプレイのエッジ領域が、アクティブエリアのノッチ内に延在する非アクティブエリア突出部を含み、アイコン及び他の情報を表示できる非アクティブエリア突出部の両側に一対の拡張アクティブエリア領域を含む、例示的なディスプレイの図である。
【００１８】
【図１０】一実施形態に係る、例示的なアクティブエリア及び非アクティブエリアのパターンを有するディスプレイの正面図である。
【図１１】一実施形態に係る、例示的なアクティブエリア及び非アクティブエリアのパターンを有するディスプレイの正面図である。
【図１２】一実施形態に係る、例示的なアクティブエリア及び非アクティブエリアのパターンを有するディスプレイの正面図である。
【図１３】一実施形態に係る、例示的なアクティブエリア及び非アクティブエリアのパターンを有するディスプレイの正面図である。
【図１４】一実施形態に係る、例示的なアクティブエリア及び非アクティブエリアのパターンを有するディスプレイの正面図である。
【発明を実施するための形態】
【００１９】
電子デバイスはディスプレイを含むことができる。ディスプレイを使用してユーザに画像を表示することができる。ディスプレイを備えることができる例示的な電子デバイスを、図１、図２、図３、及び図４に示す。
【００２０】
図１は、どのようにして、電子デバイス１０が、キーボード１６及びタッチパッド１８などの構成要素を含む上部筐体１２Ａ及び下部筐体１２Ｂを有するラップトップコンピュータの形状を有し得るかを示す。デバイス１０は、上部筐体１２Ａが下部筐体１２Ｂに対して回転軸２４を中心に方向２２へ回転することを可能にするヒンジ構造体２０を有し得る。ディスプレイ１４は上部筐体１２Ａ内に搭載されてよい。ディスプレイ筐体又は蓋と呼ばれることもあり得る上部筐体１２Ａは、上部筐体１２Ａを回転軸２４を中心に下部筐体１２Ｂに向かって回転することにより閉位置に置かれてもよい。
【００２１】
図２は、どのようにして、電子デバイス１０が、携帯電話、音楽プレーヤー、ゲーミングデバイス、ナビゲーションユニット、又は他の小型デバイスなどのハンドヘルド型デバイスであり得るかを示す。デバイス１０のこのタイプの構成では、筐体１２は対向する前面及び後面を有し得る。ディスプレイ１４を筐体１２の前面に搭載することができる。所望であれば、ディスプレイ１４は、ボタン２６などの構成要素のための開口部を有してもよい。開口部はまた、スピーカポート（例えば、図２のスピーカポート２８を参照）を収容するようにディスプレイ１４内に形成されてもよい。
【００２２】
図３は、どのようにして、電子デバイス１０が、タブレットコンピュータ、時計、又は他のポータブルデバイスであり得るかを示す。図３の電子デバイス１０では、筐体１２は対向する平らな前面及び後面を有し得る。ディスプレイ１４を筐体１２の前面に搭載することができる。図３に示すように、ディスプレイ１４は、ボタン２６を収容するために開口部を有することができる。所望であれば、ボタン２６は省略することができる。
【００２３】
図４は、どのようにして、電子デバイス１０が、組み込み型コンピュータを有するディスプレイ、組み込み型コンピュータを有しないディスプレイ、又は画像を表示するための他の好適な機器などのディスプレイであり得るかを示す。このタイプの構成では、デバイス１０のための筐体１２は、スタンド３０などの支持構造体上に搭載されてもよく、又はスタンド３０は（例えば、デバイス１０を壁に掛けるために）省略されてもよい。ディスプレイ１４を筐体１２の前面に搭載することができる。
【００２４】
図１、図２、図３、及び図４に示すデバイス１０の例示的構成は単なる例示にすぎない。ディスプレイ１４の輪郭は、矩形、楕円形、円形、又は他の好適な形状であってもよい。一般に、電子デバイス１０は、ラップトップコンピュータ、組み込み型コンピュータを含むコンピュータモニタ若しくは他のディスプレイ、タブレットコンピュータ、携帯電話、メディアプレーヤ、又は他のハンドヘルド型若しくはポータブル電子デバイス、腕時計型デバイス、ペンダント型デバイス、ヘッドホン型若しくはイヤホン型デバイス、又は他の着用可能な若しくはミニチュアデバイスなどのより小さいデバイス、組み込み型コンピュータを含まないコンピュータディスプレイ若しくは他のモニタ、ゲーミングデバイス、ナビゲーションデバイス、ディスプレイを含む電子デバイスをキオスク若しくは自動車に搭載したシステムなどの組み込みシステム、これらのデバイスのうちの２つ以上の機能を実装する機器、又は他の電子デバイス、であってもよい。
【００２５】
ケースと呼ばれることもあるデバイス１０の筐体１２は、プラスチック、ガラス、セラミックス、炭素繊維複合材及び他の繊維系複合材、金属（例えば、加工されたアルミニウム、ステンレス鋼又は他の金属）、他の材料、又はこれらの材料の組み合わせなどの材料で形成されてもよい。デバイス１０は、筐体１２の大部分又は全てが単一の構造要素（例えば、一片の加工された金属又は一片の成形プラスチック）から形成されているユニボディ構造体を使用して形成されてもよく、又は複数の筐体構造体（例えば、内部フレーム要素又は他の内部筐体構造体に搭載されている外部筐体構造体）から形成されてもよい。
【００２６】
ディスプレイ１４はタッチセンサを含むタッチ感知ディスプレイであってもよく、又はタッチに反応しなくてもよい。ディスプレイ１４のタッチセンサは、容量性タッチセンサ電極のアレイ、抵抗性タッチアレイ、音響タッチ、光学式タッチ若しくは感圧式タッチ技術に基づくタッチセンサ構造体、又は他の好適なタッチセンサ構成要素から形成されてもよい。
【００２７】
デバイス１０のディスプレイ１４は、液晶ディスプレイ、有機発光ダイオードディスプレイ、プラズマディスプレイ、電気泳動ディスプレイ、エレクトロウェッティングディスプレイ、結晶性半導体発光ダイオードダイのアレイから形成されたディスプレイ、又は他のタイプの画素から形成されたディスプレイであってもよい。ディスプレイカバー層はディスプレイ１４の表面又はカラーフィルタ層などのディスプレイ層をカバーしてよく、又はディスプレイの他の部分はディスプレイ１４内の最も外側の（又はほぼ最も外側の）層として用いてもよい。最も外側のディスプレイ層は、透明なガラス板、すき通ったプラスチック層、又は他の透明な部材から形成することができる。
【００２８】
ディスプレイ１４を構成する材料層は、プラスチックシャーシ構造体及び／若しくは金属シャーシ構造体などのシャーシ構造体に搭載されて、筐体１２内に搭載するためのディスプレイモジュールを形成することができ、並びに／又は、ディスプレイ１４のその層は、筐体１２内に直接搭載されてもよい（例えば、ディスプレイ層を筐体１２の凹部分内に積層することによって）。
【００２９】
ディスプレイ１４は、矩形形状を有してもよく（すなわち、ディスプレイ１４は矩形のフットプリント、及び矩形のフットプリントの周りに延びる矩形の周辺エッジを有し得る）、楕円形若しくは円形のフットプリントを有してもよく、又は曲線状及び／若しくは直線状のエッジを含む他の形状を有してもよい。ディスプレイ１４は、平らであってもよく、曲線状の輪郭を有してもよい。ディスプレイ１４のフットプリントのサイズを過度に縮小することなく、ディスプレイ１４のエッジに沿って電子構成要素を収容するのに役立てるため、ディスプレイ１４のアクティブエリアのエッジにノッチなどの局所的に凹んだ部分を備えることができ、及び／又はディスプレイ１４は電子構成要素を搭載できる孤立した非アクティブエリアを備えることができる。
【００３０】
従来のディスプレイの上面図を図５に示す。図５のディスプレイ２００は、４つの直線状エッジ２０２を含む矩形のアクティブエリアＡＡを有する。矩形リング状の非アクティブエリアＩＡが、アクティブエリアＡＡを囲んでいる。非アクティブエリアＩＡの上部ストリップの幅Ｗは、カメラ２０２を収容するのに十分な幅である。しかしながら、この非アクティブエリアＩＡの上部ストリップの幅Ｗは、カメラ２０２を含まない非アクティブエリアの上部ストリップの領域２０６などの領域に必要な分よりも大きい。これは無駄なスペースにつながる。
【００３１】
そのアクティブエリアのエッジの１つに沿って凹部分を含む例示的なディスプレイの上面図を、図６に示す。図６に示すように、ディスプレイ１４は、基板３６などの基板上の材料層から形成された画素１２２のアレイを有することができる。基板３６などの基板は、ガラス、金属、プラスチック、セラミック、又は他の基板材料から形成することができる。画素１２２は、データ線Ｄなどの信号経路を介してデータ信号を受信し、水平制御線Ｇ（ゲート線、走査線、エミッション制御線などと呼ばれることもある）などの制御信号経路を介して１つ以上の制御信号を受け取ることができる。ディスプレイ１４には、好適な数の（例えば、数十又はそれよりも多く、数百又はそれよりも多く、又は千又はそれよりも多い）行及び列の画素１２２が存在してもよい。
【００３２】
ディスプレイ１４は、ディスクリート発光ダイオードのアレイから、エレクトロウェッティング画素構造体から、電気泳動画素構造体から、又は他の好適なディスプレイ構造体から、形成することができる。有機発光ダイオードディスプレイでは、画素１２２は、発光ダイオードへの電流の印加を制御するそれぞれの有機発光ダイオード及び画素回路を含む。液晶ディスプレイでは、画素１２２は、制御された量の電界を液晶層の画素サイズ部分に印加するために使用される画素電極への信号の印加を制御する画素回路を含む。画素１２２内の画素回路は、ゲート線Ｇ上のゲート線信号などの制御信号によって制御されるゲートを有するトランジスタを含むことができる。
【００３３】
ディスプレイ駆動回路１２０を用いて、画素１２２の動作を制御することができる。ディスプレイ駆動回路１２０は、集積回路、薄膜トランジスタ回路、又は他の好適な回路から形成することができる。薄膜トランジスタ回路は、ポリシリコン薄膜トランジスタ、インジウムガリウム亜鉛酸化物トランジスタなどの半導体酸化物薄膜トランジスタ、又は他の半導体から形成された薄膜トランジスタから形成することができる。画素１２２は、異なる色（例えば、赤色、緑色、及び青色）のカラーフィルタ素子又は他の着色した構造体を有して、カラー画像を表示する能力をディスプレイ１４に提供することができる。
【００３４】
ディスプレイ駆動回路１２０は、ディスプレイ駆動回路１２０Ａ及びゲート駆動回路１２０Ｂなどのディスプレイ駆動回路を含むことができる。ディスプレイ駆動回路１２０Ａは、１つ以上のディスプレイ駆動集積回路及び／又は薄膜トランジスタ回路（例えば、タイミングコントローラ集積回路）から形成することができる。ゲート駆動回路１２０Ｂは、ゲート駆動集積回路から形成されてもよく、又は薄膜「ゲートオンアレイ」回路であってもよい。図６のディスプレイ駆動回路１２０Ａは、デバイス１０内のシステム制御回路と通信するための通信回路を含むことができる。この制御回路は、マイクロプロセッサ、特定用途向け集積回路、メモリ、並びにディスプレイ１４上に表示する画像を生成するための他の記憶及び処理回路を含むことができる。デバイス１０の制御回路は、経路３２を介してディスプレイ駆動回路１２０Ａと通信することができる。経路３２は、フレキシブルなプリント回路又は他の導電線上のトレースから形成することができる。動作中、デバイス１０の制御回路は、ディスプレイ１４のアクティブエリアＡＡの画素１２２上に表示される画像に関する情報を回路１２０Ａに供給することができる。
【００３５】
ディスプレイ画素１２２上に画像を表示するため、ディスプレイ駆動回路１２０Ａは、経路３８などの経路を介して、ゲート駆動回路１２０Ｂなどのディスプレイ駆動回路をサポートする制御信号を発生しながら、データ線Ｄに画像データを供給することができる。経路３８は、例えば、電力信号、出力イネーブル信号などの制御信号、クロック信号などを搬送するためのラインを含むことができる。
回路１２０Ａは、これらの信号をゲート駆動回路１２０Ｂに供給することができる。回路１２０Ｂは、ディスプレイ１４の１つのエッジ上、ディスプレイ１４の対向する左右のエッジ上、又はディスプレイ１４内の他の場所に配置することができる。
【００３６】
ゲート駆動回路１２０Ｂ（水平制御線制御回路と呼ばれることもある）は、経路３８から受信した信号（例えば、電力信号、出力イネーブル信号、クロック信号など）を使用して、水平制御線（ゲート線）Ｇを制御することができる。ディスプレイ１４のゲート線Ｇは、ゲート線信号又は他の信号若しくは信号（複数）をそれぞれに伝送して、各行の画素１２２を制御することができる（例えば、データ線Ｄから、それらの画素内の画素記憶コンデンサ内にデータ線からのデータをロードするときに、画素１２２内のトランジスタをオンにする）。動作中、画像データのフレームは、ディスプレイ内の各ゲート線Ｇ上のゲート信号を順にアサートすることによって表示できる。ゲート駆動回路１２０Ｂ内のシフトレジスタ回路（例えば、レジスタのチェーン）は、ゲート線信号を制御する際に使用できる。
【００３７】
ディスプレイ１４は、画素１２２を含みかつ画像を表示するアクティブエリアＡＡを有する。ディスプレイ１４はまた、ディスプレイ駆動回路１２０及び画像を生成しない他の構成要素を含む非アクティブエリアＩＡ（縁領域と呼ばれることもある）を有することができる。いくつかの構成では、ディスプレイ１４のディスプレイカバー層又はディスプレイ１４の他の層の下側に、非アクティブエリアＩＡ内のディスプレイ駆動回路及び他の構成要素をデバイス１０の外部の視界から隠すための不透明マスキング材料（例えば、黒色又は白色インクの層など）を含むことができる。窓がまた、ディスプレイ１４の非アクティブエリア内に形成されてもよい（例えば、画像センサを収容するため、周辺光センサ、近接センサなどを収容するために）。
【００３８】
図６のディスプレイ１４では、アクティブエリアＡＡは、上下エッジ及び左右エッジを含むほぼ矩形の形状を有する。非アクティブエリアＩＡは、４つのほぼストリップ状のエッジ領域を有することができる（例えば、ディスプレイ１４は、上下の非アクティブエリアストリップ及び左右の非アクティブエリアストリップから構成された矩形リング状の非アクティブ縁を有することができる）。非アクティブエリアＩＡを過度に拡大することなく（それによって、アクティブエリアＡＡのサイズを過度に縮小することなく）構成要素を非アクティブエリアＩＡ内に収容するために、アクティブエリアＡＡは、非アクティブエリアＩＡの一部が延在し得る１つ以上の凹部又は孤立した開口部を備えることができる。例えば、アクティブエリアＡＡ内にノッチが形成され、非アクティブエリアＩＡの一部がノッチ内に突出してもよい。非アクティブエリアのこの突出部分は、ボタン、指紋リーダ、発光ダイオードステータスインジケータ、周辺光センサ、近接センサ、タッチセンサ、カメラ（すなわち、デジタル画像センサ）、歪みゲージ、磁気センサ、圧力センサ、力センサ、温度センサ、若しくは他のセンサ、ボタン、タッチ感知構成要素、マイクロフォン若しくは他のオーディオ構成要素、又は出力を生成する及び／又は入力を受信する他の電子構成要素（単数又は複数）などの構成要素を収容するために使用されてもよい。
【００３９】
図６の構成では、例えば、ディスプレイ１４のアクティブエリアＡＡは、エッジ１３２などの上部エッジを有することができる。凹部分１３０などの凹部がエッジ１３２に形成されてもよい。凹部分１３０は、非アクティブエリアＩＡの、関連する拡大した内側への突出領域１３４を生成する。領域１３４内の非アクティブエリアＩＡなどの拡張された非アクティブエリアは、非アクティブエリアＩＡの他の部分と連続していてもよく、又はアクティブエリアＡＡによって囲まれた非アクティブエリアＩＡの孤立した島として形成されてもよい。図６の例では、内側への突出エリア１３４内の非アクティブエリアＩＡは、ディスプレイ１４の上部縁領域を形成する非アクティブエリアＩＡの水平上部ストリップと連続している。
【００４０】
非アクティブエリア突出部１３４の存在により、ディスプレイ１４には、構成要素１３６などの構成要素のための空き場所が存在する。構成要素１３６は、センサ、光検出デバイス、出力デバイス、ボタン、指紋リーダ、画像センサ、又は他の好適なデバイスであってもよい。一例として、構成要素１３６は、カメラ窓の後ろに搭載された画像センサ（カメラ）であってもよい。カメラ窓は、ディスプレイ１４を形成する材料層内の、黒色インク層、及び／又は偏光層（単数又は複数）の非偏光領域に、開口部を含むことができる。他の光ベースの構成要素（例えば、光センサ、１つ以上の可視光又は赤外線ディスクリート発光ダイオードなどの発光デバイス、光ベースの近接センサなど）もまた、非アクティブエリアＩＡの領域１３４内の窓の下に搭載されてもよい。領域１３４におけるカメラの使用は単なる例示である。
【００４１】
領域１３４はアクティブエリアＡＡ内に内側へ突出しているので、そうでなければ領域１３４を横切るであろうゲート線Ｇ（又は他の水平制御線）は、図６に示すように、切って短くされてもよい。一般に、データ線Ｄ、ゲート線Ｇのような制御線、並びに／又はデータ線及び制御線の両方は、拡張された非アクティブエリア１３４を収容するようにルーティングすることができる。図６の例では、短くされたゲート線Ｇは、アクティブエリアＡＡの延長部分が非アクティブ領域１３４の左右に存在することを可能にする。それゆえ、構成要素１３６を収容するために、アクティブエリアＡＡの上部エッジに沿って画素１２２の全行を除去する必要がない。これにより、アクティブエリアＡＡによって消費される面積を最大化する。
【００４２】
図６の例では、ゲート線Ｇは、ディスプレイ１４の左右のエッジにおけるゲート駆動回路１２０Ｂからディスプレイ１４の中央まで延在する規則的な長さの線を含む。ゲート線Ｇはまた、短くされた線を含む。短くされた線は、ディスプレイ１４の左右のエッジにおけるゲート駆動回路１２０Ｂから、通常の長さの線のようにディスプレイ１４の中央に向かって延在するが、突出部１３４に入り込まないように非アクティブエリア突出部１３４のエッジで終わっている。同様に、データ線Ｄは、ディスプレイ１４の全垂直範囲に延在する規則的な長さの線と、突出部１３４のエッジで終わるデータ線Ｄ'などの短くされたデータ線とを含む。
【００４３】
所望であれば、他のデータ線及びゲート線レイアウトを使用して、突出部１３４などの非アクティブエリアに入り込むことなく、信号を画素１２２にルーティングすることができる。例えば、図７の例示的な配置は、どのようにして、ゲート線信号が、垂直ゲート線延長部Ｇ'を使用して水平ゲート線Ｇに垂直にルーティングし得るかを示す。ゲート線延長部Ｇ'は、それぞれ、ディスプレイ１４の下部エッジに沿って配置されたゲート駆動回路に結合されてもよい（例として）。このレイアウトは、ディスプレイ１４の左右のエッジに沿ってゲート駆動回路の必要性を減少するか又は除去するので、ディスプレイ１４の左側縁領域（非アクティブエリアＩＡ）などの縁のサイズを縮小することを可能にする。図８の例示的な構成では、そうでなければ島１３４Ｉ又は他の孤立した非アクティブエリアなどの非アクティブエリアＩＡの島の存在により遮断されるであろう画素１２２内に、データ線Ｄがデータをロードすることを可能にする端部ＤＦ上で、データ線Ｄが折り返されている。所望であれば、ディスプレイ駆動回路は、島１３４Ｉ（このケースでは、データ線は折り返しなしにそれぞれのブロックから画素１２２に直接延在できる）などの島の上下両方のブロックに配置することができる。制御線信号、データ線信号、及び電源信号をルーティングするための他の配置を利用して、非アクティブエリアの内側への突出部（すなわち、アクティブエリアノッチ又は他の凹部）、及び／又はアクティブエリアに囲まれた非アクティブエリアの島（すなわち、アクティブエリア内の孤立した開口部に形成された非アクティブエリア）を収容することができる。図６、図７及び図８の構成は、単なる例示である。
【００４４】
ディスプレイ１４の拡張された非アクティブエリア領域は、ディスプレイ１４上に画像コンテンツの完全な矩形を表示することを困難又は不可能にする可能性がある。それでも、ディスプレイ１４に存在するアクティブエリアの増分は、ユーザのための他の情報を表示する際に使用することができる。
【００４５】
図９に示す１つの例示的な手法では、ユーザのためのコンテンツの矩形部分を表示する際に、アクティブエリアＡＡ（すなわち、メイン部分ＡＡ−ＭなどのアクティブエリアＡＡのメイン矩形部分）の一部を使用することができる。ディスプレイ１４の矩形メイン部分ＡＡ−Ｍは、例えば、矩形の映像、矩形のビデオ、テキスト及び／若しくはグラフィックスを含む矩形のドキュメント、又は他の矩形のコンテンツを表示するために使用することができる。非アクティブエリア突出部１３４の存在により、部分ＡＡ−Ｍの水平上部エッジ１４０は、その形状を変えることなく、もっと上方に延ばすことはできない。それでも、拡張されたアクティブエリア領域ＡＡ−ＥＬ及びＡＡ−ＥＲは、領域１３４の左右に利用可能である。領域ＡＡ−ＥＬ及びＡＡ−ＥＲは、細長い矩形領域（すなわち、水平に延在するストリップ状領域）であってもよい。領域ＡＡ−ＥＬは、アクティブエリア領域ＡＡ−Ｍのエッジ１４０と、ディスプレイ１４の上部エッジに沿って延在する非アクティブエリアＩＡ部分の内側エッジ１４２との間に横たわる。領域ＡＡ−ＥＲは、アクティブエリア領域ＡＡ−Ｍのエッジ１４０と、内側エッジ１４２との間に横たわる。
【００４６】
拡張領域ＡＡ−ＥＬ及びＡＡ−ＥＲなどの領域は、テキスト、グラフィックス、ビデオ、映像などのコンテンツを表示するために使用することができる。
例えば、領域ＡＡ−ＥＬ及びＡＡ−ＥＲを使用して、時間及びデータ情報１４４並びにアイコン１４６などの情報を表示することができる。この情報は、デバイス１０の一般的なステータスに関連してもよく、及び／又はエリアＡＡ−Ｍに表示されているコンテンツに関連してもよい。
例えば、領域ＡＡ−ＥＬ及びＡＡ−ＥＲ内の情報は、バッテリ充電レベル、無線ローカルエリアネットワーク信号強度情報、ネットワーク接続性情報、時間情報、日付情報、メッセージステータス情報、ディスプレイ輝度情報、メディア再生ステータス情報、などのステータスバー情報を含むことができる。
所望であれば、領域ＡＡ−ＥＬ及びＡＡ−ＥＲ内の情報は、領域ＡＡ−Ｍに表示されているドキュメントに関連してもよい。
例えば、ページカウント情報、ワードカウント情報、ドキュメント倍率ステータス、行間設定、及びドキュメントに関する他のステータス情報、を提示することができる。領域ＡＡ−Ｍがビデオを表示している状況では、領域ＡＡ−ＥＬ及びＡＡ−ＥＲは、実行時間情報、時間残存情報、再生ボリューム情報、メディアタイトル情報などを表示することができる。
【００４７】
情報１４４及び１４６は、背景１４８などの背景上に提示することができる。背景１４８は、任意の好適な色及び／又はパターンを有することができる。所望であれば、非アクティブエリアＩＡは、ディスプレイ１４の最外層（単数又は複数）の下にある内部構成要素を視界から隠すために、黒色インク又は他の不透明マスキング材料の層を含むことができる。このタイプの配置では、背景１４８は、非アクティブエリアマスキング材料の黒色と一致する黒色であってもよい。領域１３４はまた、黒色であってもよく（例えば、領域１３４内の表示層（単数又は複数）の下面を黒色インクでコーティングしてもよい）、又は領域１３４は対照的な外観を有してもよい（例えば、領域１３４は光沢があってもよく、白色であってもよく、赤色又は他の好適な色などに着色されてもよい）。領域背景１４８が領域１３４の黒色と一致する黒色である構成では、領域ＡＡ−ＥＬ及びＡＡ−ＥＲは、アクティブエリアの一体化したストリップの一部である外観（及び、それによるアクティブエリアＡＡ−Ｍの一体化した延長部分）を有するであろう。領域１３４の黒色が背景１４８の黒色と混ざり合うので、突出部１３４からの視覚的中断は見た目には顕著ではないであろう。
【００４８】
所望であれば、ディスプレイ１４のアクティブエリアＡＡは、非アクティブエリアＩＡの島を含む他の形状（すなわち、非アクティブエリアＩＡがアクティブエリアＡＡによって囲まれた孤立した領域の形状を有する開口部）、及び／又は矩形のノッチ若しくは他の凹部を有してもよい。図１０の例では、ディスプレイ１４のアクティブエリアＡＡは、比較的浅い矩形の凹部１３０を含む矩形形状を有する。図１１は、どのようにして、アクティブエリアＡＡ内に複数の凹部（例えば、矩形の凹部１３０−１及び１３０−２などの凹部）が存在し得るかを示す。図１２の構成では、アクティブエリアＡＡの４つのコーナのそれぞれに凹部がある（すなわち、凹部１３０−１、１３０−２、１３０−３、１３０−４）。図１３では、アクティブエリアＡＡは円形の輪郭を有し、そこになめらかなマウスホール状の凹部１３０が形成されている。図１４の矩形アクティブエリアＡＡなどの矩形アクティブエリアはまた、曲線状の凹部を備えてもよい。例えば、図１４の凹部１３０は、ボタン２６を収容することができる。図１４の例示的な開口部１３０ＩなどのアクティブエリアＡＡ内の開口部は、スピーカ及び／又は他の電子構成要素を収容するために使用できる。
【００４９】
突出部１３４などの非アクティブエリア部分は、図１０、１１、１２、１３、及び１４の開口部及び他の凹部のそれぞれに延在することができる。更に、ディスプレイ１４のアクティブエリアＡＡ及び非アクティブエリアＩＡのための他の形状及びレイアウトを使用することができる。図１０、図１１、図１２、図１３、及び図１４の例は、単なる例示である。
【００５０】
一実施形態によれば、画像を表示する画素を含むアクティブエリアと、アクティブエリアの１つのエッジの少なくとも一部に沿って延在する画素のない非アクティブエリアとを含むディスプレイが提供され、非アクティブエリアの突出部分は、エッジの一部に沿ってアクティブエリア内に延在する。
【００５１】
別の実施形態によれば、アクティブエリアは、矩形部分と、非アクティブエリアの両側の２つの矩形の拡張領域とを含む。
【００５２】
別の実施形態によれば、アクティブエリア内の画素は、矩形の拡張領域にアイコンを表示するように構成される。
【００５３】
別の実施形態によれば、ディスプレイは突出部分にカメラを含む。
【００５４】
別の実施形態によれば、ディスプレイは非アクティブエリアの突出部分に電子構成要素を含む。
【００５５】
別の実施形態によれば、電子構成要素は画像センサを含む。
【００５６】
別の実施形態によれば、突出部分は非アクティブエリアの矩形部分を含む。
【００５７】
別の実施形態によれば、非アクティブエリアの突出部分は黒色マスキング層を有し、アクティブエリアは黒色背景上に情報を表示する、突出部分に隣接する少なくとも１つの部分を含む。
【００５８】
別の実施形態によれば、アクティブエリアは矩形形状を有し、突出部分は非アクティブエリアの矩形部分を含む。
【００５９】
別の実施形態によれば、アクティブエリアは円形形状を有する。
【００６０】
別の実施形態によれば、アクティブエリアは矩形形状を有し、突出部分は矩形形状の少なくとも１つの角部内に突出する。
【００６１】
一実施形態によれば、画像を表示する画素を含むアクティブエリアと、アクティブエリア内の開口部内に形成されかつ画像を表示しない、画素のない孤立した非アクティブエリアとを含むディスプレイが提供される。
【００６２】
別の実施形態によれば、ディスプレイは、孤立した非アクティブエリアに電子構成要素を含む。
【００６３】
別の実施形態によれば、電子部品は、スピーカ、カメラ、光センサ、ディスクリ−ト発光ダイオード、近接センサ、歪みゲージ、力センサ、温度センサ、指紋センサ、ボタン、及びマイクロフォンからなるグループから選択される構成要素を含む。
【００６４】
別の実施形態によれば、画素は液晶ディスプレイ画素を含む。
【００６５】
別の実施形態によれば、画素は有機発光ダイオード画素を含む。
【００６６】
別の実施形態によれば、アクティブエリアはデータ線を含み、データ線のうちの少なくともいくつかは、孤立した非アクティブエリアに隣接して折り返された端部を有する。
【００６７】
別の実施形態によれば、アクティブエリアは、突出する非アクティブエリアが延在する凹部分を有する。
【００６８】
一実施形態によれば、ベースとベースに対して回転する蓋とを有する筐体と、蓋によって支持されるディスプレイを含むラップトップコンピュータが提供され、ディスプレイは、画像を表示する画素を含むアクティブエリアと、アクティブエリアの少なくとも１つのエッジに沿って延びる非アクティブ領域とを有し、アクティブエリアは凹部を有し、非アクティブエリアは凹部内に延在する突出部分と、非アクティブエリアの突出部分内に搭載されるカメラとを有する。
【００６９】
別の実施形態によれば、アクティブエリアは、画像を表示するメイン矩形領域を有し、かつ、メイン矩形領域と非アクティブ縁との間に第１及び第２の矩形拡張領域を有し、第１及び第２の矩形拡張領域はカメラの両側にある。
【００７０】
別の実施形態によれば、第１及び第２の矩形拡張領域は黒色背景上にアイコンを表示し、一方、メイン矩形領域は矩形の映像を表示する。
【００７１】
前述の内容は単なる例示であり、説明した実施形態の範囲及び精神から逸脱することなく、当業者によって様々な修正を行うことができる。上記の実施形態は、個々に、又は任意の組み合わせで実施することができる。
【図１】
2020181195.tif 000003
【図２】
2020181195.tif 000004
【図３】
2020181195.tif 000005
【図４】
2020181195.tif 000006
【図５】
2020181195.tif 000007
【図６】
2020181195.tif 000008
【図７】
2020181195.tif 000009
【図８】
2020181195.tif 000010
【図９】
2020181195.tif 000011
【図１０】
2020181195.tif 000012
【図１１】
2020181195.tif 000013
【図１２】
2020181195.tif 000014
【図１３】
2020181195.tif 000015
【図１４】
2020181195.tif 000016
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
画像を表示する画素を含むアクティブエリアと、
前記アクティブエリアの１つのエッジの少なくとも一部に沿って延在する、画素のない非アクティブエリアと、を備え、
前記非アクティブエリアの突出部分は、前記エッジの前記一部に沿って前記アクティブエリア内に延在する、ディスプレイ。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
画素の第１と第２の群とを含み、アクティブエリアを形成する画素のアレイと、
画素の前記第１と第２の群の間に非アクティブエリアを形成する不透明マスキング材料と、
画素の前記第１と第２の群の間の前記非アクティブエリアに配置された光センサおよび発光体と、を備える電子デバイス。
【請求項２】
前記不透明マスキング材料が、画素の前記アレイの周りに境界を形成する、請求項１に記載の電子デバイス。
【請求項３】
前記発光体は赤外光を放射する、請求項１に記載の電子デバイス。
【請求項４】
前記光センサは赤外光を検出する、請求項３に記載の電子デバイス。
【請求項５】
前記不透明マスキング材料が、画素の前記第１と第２の群の間に配置され、前記光センサと位置合わせされた開口を有する、請求項１に記載の電子デバイス。
【請求項６】
前記アレイにおける前記画素の列を横断して延びる信号線をさらに含み、前記信号線は第１と第２の信号線を含み、前記第１の信号線は前記第２の信号線よりも短い、請求項１に記載の電子デバイス。
【請求項７】
前記信号線はゲート線を含み、前記第１の信号線は画素の前記第１の群を横断して延びる、請求項６に記載の電子デバイス。
【請求項８】
画素の前記第２の群は、バッテリ充電レベルおよび信号強度情報を表示するように構成される、請求項１に記載の電子デバイス。
【請求項９】
前記不透明マスキング材料が、画素の前記第１と第２の群の間に配置された開口を含む、請求項１に記載の電子デバイス。
【請求項１０】
画素の前記アレイと重なり、画素の前記第１と第２の群の間に位置するスピーカーポートを有するディスプレイカバー層をさらに含む、請求項１に記載の電子デバイス。
【請求項１１】
画素のアレイを含むアクティブ表示エリアと、ここで、画素の前記アレイは、画素の第１と第２の列を含み、前記第１の列は前記第２の列よりも少ない画素を有し、
画素の前記第１と第２の列をそれぞれ横断して延びる第１と第２の信号線と、ここで前記第１の信号線は前記第２の信号線より短く、
前記アクティブ表示エリア内に突出し、画素の前記第１の列を遮る突出部分を有する非アクティブ表示エリアと、
前記非アクティブ表示エリアの前記突出部分における入出力構成要素と、を備える電子デバイス。
【請求項１２】
前記入出力構成要素は、スピーカ、カメラ、光センサ、ディスクリート発光ダイオード、近接センサ、歪みゲージ、力センサ、温度センサ、指紋センサ、ボタン、マイクからなる群から選択される少なくとも１つの構成要素を含む、請求項１１に記載の電子デバイス。
【請求項１３】
前記第１と第２の信号線はゲート線を含む、請求項１１に記載の電子デバイス。
【請求項１４】
前記非アクティブ表示エリアの前記突出部分に不透明マスキング材料をさらに含む、請求項１１に記載の電子デバイス。
【請求項１５】
前記不透明マスキング材料は、前記非アクティブ表示エリアにおいて、前記入出力構成要素の１つと位置合わせされた開口を有する、請求項１４に記載の電子デバイス。
【請求項１６】
画素の第１と第２の列を含む画素のアレイと、ここで、前記第１の列は前記第２の列より少ない画素を有し、
前記第１の列における第１と第２の画素の間に挟まれた赤外線発光構成要素と、
画素の前記第１の列における前記第１と第２の画素の間に挟まれた不透明マスキング材料と、を備える電子デバイス。
【請求項１７】
前記不透明マスキング材料が、前記赤外線発光構成要素に位置合わせされた開口を有する、請求項１６に記載の電子デバイス。
【請求項１８】
前記不透明マスキング材料が、画素の前記第２の列をさえぎることなく、画素の前記第１の列をさえぎる、請求項１６に記載の電子デバイス。
【請求項１９】
画素の前記第１の列を横断して延びる第１のゲート線と、画素の前記第２の列を横断して延びる第２のゲート線とをさらに備え、前記第１のゲート線は前記第２のゲート線より短い、請求項１６に記載の電子デバイス。
【請求項２０】
画素の前記アレイと重なり、前記第１と第２の画素の間に開口を有するディスプレイカバー層をさらに備える、請求項１６に記載の電子デバイス。
【外国語明細書】
2020181195000001.pdf